(57)【要約】【課題】防水性を高めることができるドア額縁の下部構造および施工方法の提供。【解決手段】浴室の出入口を仕切るドア本体に対して浴室とは反対側に設けられる枠状のドア額縁の下部構造であって、一対の縦枠部材１５，１５と、一対の縦枠部材１５，１５が取り付けられる一対の取付座部６３，６３および一対の取付座部６３，６３の間にあって一対の取付座部６３，６３よりも高さが高い通路部６４を有する下枠部材１７と、を備え、下枠部材１７は、少なくとも一対の取付座部６３，６３および通路部６４が防水性樹脂材料で形成されている。【選択図】図６
2016029243.tif 000002
【特許請求の範囲】
【請求項１】
浴室の出入口を仕切るドア本体に対して浴室とは反対側に設けられる枠状のドア額縁の下部構造であって、
一対の縦枠部材と、
前記一対の縦枠部材が取り付けられる一対の取付座部および前記一対の取付座部の間にあって前記一対の取付座部よりも高さが高い通路部を有する下枠部材と、を備え、
前記下枠部材は、少なくとも前記一対の取付座部および前記通路部が防水性樹脂材料で形成されていることを特徴とするドア額縁の下部構造。
【請求項２】
前記下枠部材は、
前記一対の取付座部を形成する防水性樹脂材料で成形された下枠ベースと、
前記下枠ベースとは別体であって前記通路部を形成する防水性樹脂材料で成形されたカバーと、を有することを特徴とする請求項１記載のドア額縁の下部構造。
【請求項３】
前記下枠部材は、前記一対の取付座部および前記通路部が防水性樹脂材料で一体成形されていることを特徴とする請求項１記載のドア額縁の下部構造。
【請求項４】
前記取付座部と前記縦枠部材との間に防水材が介装されていることを特徴とする請求項１から３のいずれか一項記載のドア額縁の下部構造。
【請求項５】
浴室の出入口を仕切るドア本体に対して浴室とは反対側に設けられる枠状のドア額縁の施工方法であって、
防水性樹脂材料で成形されたカバーの間口方向の寸法を調整するカバー寸法調整工程と、
防水性樹脂材料で成形された下枠ベースの間口方向両側の一対の取付座部に一対の縦枠部材を取り付ける取付工程と、
前記下枠ベースの間口方向の中間部に前記カバーを取り付けて前記カバーにより通路部を形成する形成工程と、
を含むことを特徴とするドア額縁の施工方法。
【請求項６】
浴室の出入口を仕切るドア本体に対して浴室とは反対側に設けられる枠状のドア額縁の施工方法であって、
通路部が予め成形された防水性樹脂材料からなる防水部を有する下枠部材の前記通路部の間口方向の両外側を前記防水部の範囲内で切削して前記通路部よりも高さが低い防水性樹脂材料からなる一対の取付座部を形成する形成工程と、
前記一対の取付座部に一対の縦枠部材を取り付ける取付工程と、を含むことを特徴とするドア額縁の施工方法。
【請求項７】
前記取付工程にて、前記取付座部と前記縦枠部材との間に防水材を介装することを特徴とする請求項５または６記載のドア額縁の施工方法。
【発明の詳細な説明】
【技術分野】
【０００１】
本発明は、ドア額縁の下部構造および施工方法に関する。
【背景技術】
【０００２】
浴室ドアは、一般に、浴室側にドア本体が設けられ、ドア本体の浴室とは反対側にドア額縁が設けられた構造となっている。このような浴室ドアにおいて、ドア額縁の合成樹脂製の下枠材と合板からなる下地材との間に樹脂製の防水シートを挟む構造として、下地材等の腐食を防止するものがある（例えば特許文献１参照）。
【０００３】
また、サッシ枠額縁の下枠材において、サッシ枠とは反対側の部分に弾性材の帯状部材を接着して、下枠材とフローリングとの間の音の伝播を阻止するものがある（例えば、特許文献２参照）。
【先行技術文献】
【特許文献】
【０００４】
【特許文献１】特開２０１１−１２２３４０号公報
【特許文献２】特開２００２−３８８２８号公報
【発明の概要】
【発明が解決しようとする課題】
【０００５】
ところで、浴室の出入口のドア額縁の下部においては、防水性をより高めたいという要望がある。
【０００６】
本発明は、防水性を高めることができるドア額縁の下部構造および施工方法の提供を目的とする。
【課題を解決するための手段】
【０００７】
上記目的を達成するために、本発明のドア額縁の下部構造は、浴室の出入口を仕切るドア本体に対して浴室とは反対側に設けられる枠状のドア額縁の下部構造であって、一対の縦枠部材と、前記一対の縦枠部材が取り付けられる一対の取付座部および前記一対の取付座部の間にあって前記一対の取付座部よりも高さが高い通路部を有する下枠部材と、を備え、前記下枠部材は、少なくとも前記一対の取付座部および前記通路部が防水性樹脂材料で形成されていることを特徴とする。
【０００８】
このように、下枠部材は、一対の縦枠部材が取り付けられる一対の取付座部と、一対の取付座部の間にあって一対の取付座部よりも高さが高い通路部とが防水性樹脂材料で形成されている。よって、通路部を通過して下地材へ水が到達することを抑制することができ、一対の取付座部を通過して下地材へ水が到達することも抑制することができる。したがって、防水性を高めることができる。
【０００９】
前記下枠部材は、前記一対の取付座部を形成する防水性樹脂材料で成形された下枠ベースと、前記下枠ベースとは別体であって前記通路部を形成する防水性樹脂材料で成形されたカバーと、を有していても良い。
【００１０】
これにより、通路部を形成するカバーが下枠ベースとは別体とされているため、一対の縦枠部材の距離に応じて調整が必要となる通路部の間口方向の寸法を容易に調整することができる。
【００１１】
前記下枠部材は、前記一対の取付座部および前記通路部が防水性樹脂材料で一体成形されていても良い。
【００１２】
これにより、部品点数を削減することができ、製品コストおよび管理コストを低減することができる。
【００１３】
前記取付座部と前記縦枠部材との間に防水材が介装されていても良い。
【００１４】
これにより、下枠部材の取付座部と、縦枠部材との間の防水性を防水材によって高めることができる。したがって、防水性を一層高めることができる。
【００１５】
また、本発明のドア額縁の施工方法は、浴室の出入口を仕切るドア本体に対して浴室とは反対側に設けられる枠状のドア額縁の施工方法であって、防水性樹脂材料で成形されたカバーの間口方向の寸法を調整するカバー寸法調整工程と、防水性樹脂材料で成形された下枠ベースの間口方向両側の一対の取付座部に一対の縦枠部材を取り付ける取付工程と、前記下枠ベースの間口方向の中間部に前記カバーを取り付けて前記カバーにより通路部を形成する形成工程と、を含むことを特徴とする。
【００１６】
これにより、カバー寸法調整工程にてカバーの間口方向の寸法を調整する。取付工程にて下枠ベースの間口方向両側の一対の取付座部に一対の縦枠部材を取り付け、その前あるいは後に、カバーを形成工程にて下枠ベースの間口方向の中間部に取り付けて通路部を形成する。一対の取付座部を形成する下枠ベースと、一対の取付座部の間に通路部を形成するカバーとが防水性樹脂材料で成形されている。よって、通路部を通過して下地材へ水が到達することを抑制することができ、一対の取付座部を通過して下地材へ水が到達することをも抑制することができる。したがって、防水性を高めることができる。また、通路部を形成するカバーが下枠ベースに取り付けられることから、取り付け前に間口方向の寸法を容易に調整することができる。したがって、一対の縦枠部材の距離に応じて調整が必要となる通路部の間口方向の寸法を容易に調整することができる。
【００１７】
また、本発明のドア額縁の施工方法は、浴室の出入口を仕切るドア本体に対して浴室とは反対側に設けられる枠状のドア額縁の施工方法であって、通路部が予め成形された防水性樹脂材料からなる防水部を有する下枠部材の前記通路部の間口方向の両外側を前記防水部の範囲内で切削して前記通路部よりも高さが低い防水性樹脂材料からなる一対の取付座部を形成する取付座部形成工程と、前記一対の取付座部に一対の縦枠部材を取り付ける取付工程と、を含むことを特徴とする。
【００１８】
これにより、取付座部形成工程にて、通路部が予め成形された防水性樹脂材料からなる防水部を有する下枠部材の通路部の間口方向の両外側を防水部の範囲内で切削して通路部よりも高さが低い防水性樹脂材料からなる一対の取付座部を形成し、取付工程にて一対の取付座部に一対の縦枠部材を取り付ける。一対の取付座部と通路部とが防水性樹脂材料からなっている。よって、通路部を通過して下地材へ水が到達することを抑制することができ、一対の取付座部を通過して下地材へ水が到達することをも抑制することができる。したがって、防水性を高めることができる。また、通路部が予め成形された防水部の通路部の両外側を切削することで一対の取付座部を形成するため、一対の取付座部を容易に形成することができる上、部品点数を削減することができ、製品コストおよび管理コストを低減することができる。
【００１９】
前記取付工程にて、前記取付座部と前記縦枠部材との間に防水材を介装しても良い。
【００２０】
これにより、取付座部と、縦枠部材との間の防水性を防水材によって高めることができる。したがって、防水性を一層高めることができる。
【発明の効果】
【００２１】
本発明によれば、防水性を高めることができる。
【図面の簡単な説明】
【００２２】
【図１】本発明の第１実施形態に係るドア額縁およびドア本体等を示す正面図である。
【図２】本発明の第１実施形態に係るドア額縁および下地構造部を示す正面図である。
【図３】本発明の第１実施形態に係るドア額縁の下部構造を示す図２のＸ−Ｘ断面図である。
【図４】本発明の第１実施形態に係る下枠部材を示す側面図で、（ａ）はカバーを、（ｂ）は下枠ベースを示すものである。
【図５】本発明の第１実施形態に係るドア額縁の施工方法を示す斜視図であって、（ａ）は形成工程前、（ｂ）は形成工程後を示すものである。
【図６】本発明の第１実施形態に係るドア額縁の施工方法を示す斜視図であって、（ａ）は取付工程前、（ｂ）は取付工程の第１段階後、（ｃ）は取付工程の第２段階後（取付工程後）を示すものである。
【図７】本発明の第２実施形態に係る下枠部材を示す斜視図であって、（ａ）は形成工程前、（ｂ）は形成工程後を示すものである。
【図８】本発明の第２実施形態に係る下枠部材を示す側面図である。
【発明を実施するための形態】
【００２３】
本発明の第１実施形態に係るドア額縁の下部構造および施工方法について、図１〜図６を参照して説明する。
【００２４】
図１は、浴室の出入口１０およびその周辺を浴室外側の脱衣室Ｒ１側から見た図である。浴室の出入口１０は、枠状のドア額縁１１の内側に形成されている。出入口１０の浴室側（図１の紙面奥側）には出入口１０を仕切るドア本体１２が設けられている。よって、ドア額縁１１は、ドア本体１２に対して浴室とは反対側に設けられている。
【００２５】
ドア額縁１１は、四角枠状をなしており、鉛直方向に沿う一対の縦枠部材１５，１５と、水平方向に沿ってこれら縦枠部材１５，１５の上端部同士を繋ぐ上枠部材１６と、水平方向に沿ってこれら縦枠部材１５，１５の下端部同士を繋ぐ下枠部材１７とを有している。
【００２６】
ドア額縁１１は、図２に示す下地枠２１に取り付けられる。なお、下地枠２１の脱衣室Ｒ１側には、図１に示す壁となるボード２９が配置されるが、図２においては、図示の便宜上、これを省略して示している。
【００２７】
下地枠２１は、鉛直方向に沿う一対の木製の縦枠下地材２２，２２と、水平方向に沿って縦枠下地材２２，２２同士を繋ぐ木製の上枠下地材２３と、上枠下地材２３よりも下側で水平方向に沿って縦枠下地材２２，２２同士を繋ぐ木製の合板からなる下枠下地材２４とを有している。一対の縦枠下地材２２，２２は、基礎２６上に水平に設置された木製の土台２７上に立設され、土台２７から鉛直上方に延出する。土台２７上にはこれと直交するように複数の木製の根太２８，２８，…が水平に設置されており、根太２８，２８，…上に下枠下地材２４が設置されている。以下では、出入口１０、ドア額縁１１および下地枠２１等を脱衣室Ｒ１側から見たときの左右方向を間口方向、前後方向を奥行方向、上下方向を高さ方向として説明する。
【００２８】
下枠部材１７は、図３に示すように、下枠下地材２４上に設置されるもので、下枠下地材２４に取り付けられる下枠ベース３１と、下枠ベース３１の上面に取り付けられるカバー３２とを有している。下枠部材１７に対して脱衣室Ｒ１とは反対側つまり浴室側にはドア本体１２のサッシ下枠３５が設けられている。また、下枠下地材２４の脱衣室Ｒ１側には床下地材３６が設けられ、下枠ベース３１の脱衣室Ｒ１側には仕上げフロア材３７が設けられている。床下地材３６は根太２８上に設置されている。
【００２９】
サッシ下枠３５は、水平に配置される水平板部４１と、水平板部４１の脱衣室Ｒ１側の端縁部から鉛直上方に立ち上がる立板部４２と、立板部４２の上縁部から脱衣室Ｒ１側に水平に延出する鍔板部４３と、水平板部４１から下方に延出する水切り部４４とを有している。図示は略すがサッシ下枠３５の水平板部４１の上側にドア本体１２の図１に示す開閉扉４５が配置される。立板部４２は下枠部材１７の脱衣室Ｒ１とは反対側の部分を覆うことになり、鍔板部４３は下枠部材１７と水平方向にラップする。
【００３０】
下枠部材１７は、図４に示すように、下枠ベース３１と、これとは別体のカバー３２とが組み合わされて構成されるものである。下枠ベース３１は適宜切断されて寸法調整されることになり、カバー３２も適宜切断されて寸法調整されることになる。
【００３１】
図４（ａ）に示すように、カバー３２は、主体部５１と、主体部５１の表面を部分的に覆う被覆部５２とを有している。被覆部５２は、平板状の基板部５３と、基板部５３から突出する複数のリブ５４，５４，…と、基板部５３の一端縁部から基板部５３に対してリブ５４，５４，…の突出方向とは反対方向に若干傾斜して延出する傾斜板部５５とを有している。また、被覆部５２は、傾斜板部５５の基板部５３とは反対側の端縁部から基板部５３に対して垂直をなすようにリブ５４，５４，…の突出方向とは反対方向に延出する端板部５６と、端板部５６の傾斜板部５５とは反対側の端縁部から基板部５３と平行をなして基板部５３側に戻るように延出する返板部５７とを有している。リブ５４，５４，…は、施工後に出入口１０の足下の滑り止めとなる部分である。
【００３２】
主体部５１は、基板部５３のリブ５４，５４，…とは反対側に密着し、傾斜板部５５、端板部５６および返板部５７の内側に密着している。主体部５１は、基板部５３とは反対側の面が、返板部５７の基板部５３とは反対側の面と同一平面に配置されている。
【００３３】
主体部５１は、防水性樹脂材料である発泡ポリ塩化ビニル樹脂からなっており、被覆部５２は、主体部５１よりも剛性が高い防水性樹脂材料であるポリ塩化ビニル樹脂からなっている。カバー３２は、主体部５１と被覆部５２とが一体に押出成形により形成される。つまり、カバー３２は全体が防水性樹脂材料で成形されている。カバー３２は、押出成形により形成されることから、全長にわたって長手方向に直交する面での断面が一定の形状をなしている。材料は適宜選定でき、主体部５１は、ポリプロピレン樹脂、ポリエチレン樹脂、ポリスチレン樹脂、ＡＢＳ樹脂などが使用可能であり、被覆部５２は、アクリル樹脂、ＡＳＡ樹脂などの耐候性の高い樹脂が使用可能である。
【００３４】
下枠ベース３１は、全長にわたって長手方向に直交する面での断面が一定の長方形状をなす板材である。下枠ベース３１は、防水性樹脂材料である発泡ポリ塩化ビニルからなっており、押出成形により形成される。よって、下枠ベース３１も防水性樹脂材料で成形されている。
【００３５】
図２に示すように、下枠部材１７は、下枠ベース３１が下枠下地材２４上に設置されることになり、下枠ベース３１の間口方向両側に形成された一対の取付座部６３，６３に一対の縦枠部材１５，１５が取り付けられる。また、下枠部材１７は、下枠ベース３１の一対の取付座部６３，６３の間にカバー３２が取り付けられる。カバー３２は、その間口方向および奥行方向のみが寸法調整されてドア額縁１１の下部における出入口１０側の端部となる通路部６４を形成する。よって、カバー３２には予め通路部６４が形成されている。一対の縦枠部材１５，１５が、ドア額縁１１の両側部となり、上枠部材１６がドア額縁１１の上部となって、下枠部材１７がドア額縁１１の下部となる。
【００３６】
一対の縦枠部材１５，１５は、下面において下枠部材１７の一対の取付座部６３，６３の上面に取り付けられる。一対の縦枠部材１５，１５は、ビス止めによって下枠部材１７の下枠ベース３１に取り付けられる。一対の縦枠部材１５，１５は、共通の素材部品から形成されるもので、上枠下地材２３と下枠下地材２４との内寸に対応した長さに高さ方向の寸法が調整されて形成されている。一対の縦枠部材１５，１５は、それぞれが、取付座部６３，６３の上面に取り付けられる基板部６５と、基板部６５の奥行方向の脱衣室Ｒ１側（図２の紙面手前側）の端縁部から間口方向外方に延出するフランジ部６６とを有している。
【００３７】
上枠部材１６は、縦枠部材１５，１５と共通の素材部品から形成されるもので、基板部６５とフランジ部６６とを有している。上枠部材１６は、素材部品から上枠下地材２３の間口方向の寸法に対応した長さに寸法が調整されることにより形成されている。上枠部材１６は、縦枠部材１５，１５と基板部６５，６５，６５の奥行方向の位置を合わせフランジ部６６，６６，６６の奥行方向の位置を合わせた状態で、縦枠部材１５，１５にそれぞれの上端部同士を繋ぐように連結される。その際に、上枠部材１６は、縦枠部材１５，１５にビス止めされる。上枠部材１６は、フランジ部６６が基板部６５よりも上方に延出する。ここで、一対の縦枠部材１５，１５は、上枠部材１６の基板部６５に高さ位置を合わせるように基板部６５，６５の上端部が除去され、その結果、上端部にも基板部６５，６５よりも上方に突出するフランジ部６７，６７がフランジ部６６と連続するように形成されている。
【００３８】
一対の縦枠部材１５，１５、上枠部材１６および下枠部材１７は、予め枠状に組み立てられドア額縁１１となった状態で、下地枠２１に挿入されて、取り付けられる。その際に、一対の縦枠部材１５，１５の基板部６５，６５の間口方向外側の側面に接着剤が塗布され、上枠部材１６の基板部６５の上面に接着剤が塗布され、下枠部材１７の下枠ベース３１の下面に接着剤が塗布された状態で、ドア額縁１１が下地枠２１に挿入されることになる。その結果、縦枠部材１５，１５の基板部６５，６５の間口方向外側の両側面が縦枠下地材２２，２２の間口方向内側の両側面に接着され、上枠部材１６の基板部６５の上面が上枠下地材２３の下面に接着され、下枠部材１７の下枠ベース３１の下面が下枠下地材２４の上面に接着される。また、必要によりドア額縁１１は、脱衣室Ｒ１側から打ち込まれる釘によっても基板部６５，６５，６５が下地枠２１に固定される。ドア額縁１１はフランジ部６６，６６，６６およびフランジ部６７，６７と、下地枠２１との間に図３に示すボード２９を設置可能な隙間をあけて下地枠２１に固定される。
【００３９】
次に、上記の下枠部材１７を含むドア額縁の施工方法について説明する。このドア額縁の施工方法は、すべて施工現場において行われるものである。このドア額縁の施工方法は、新築時のドア額縁の施工および改修時のドア額縁の施工の両方に適用可能である。
【００４０】
新築時には、ドア額縁１１の施工前に上記した下地枠２１がドア本体１２に対応する大きさとなるように予め構築され、この下地枠２１にドア額縁１１が施工されることになる。また、改修時には、既設のドア額縁の除去時に一部除去され、その後、ドア本体１２に対応する大きさとなるように補修された下地枠２１に対して、ドア額縁１１が施工されることになる。
【００４１】
ドア本体１２に対応する大きさとされ、ドア額縁１１の施工が可能な状態となっている下地枠２１に対して、図２に示す縦枠下地材２２，２２間の内寸を計測する。この内寸は、上枠下地材２３および下枠下地材２４の間口方向の寸法と同等である。また、下地枠２１の下枠下地材２４およびサッシ下枠３５の奥行方向の寸法を計測する。
【００４２】
図４（ａ）に示す工場出荷状態の下枠ベース３１を、上記の内寸に対応する間口方向の寸法（縦枠下地材２２，２２間に挿入可能となる寸法）となるように切断して間口方向の寸法を調整する下枠ベース間口寸法調整工程を行う。また、下枠下地材２４およびサッシ下枠３５の奥行方向の寸法に対応する寸法となるように下枠ベース３１を切断してその奥行方向の寸法を調整する下枠ベース奥行寸法調整工程を行う。なお、ドア本体１２の寸法から下枠ベース３１の間口方向の寸法を算出してこの寸法となるように下枠ベース間口寸法調整工程を行うこともできる。
【００４３】
また、下枠部材１７に取り付けられる一対の縦枠部材１５，１５の基板部６５，６５の間口方向の寸法つまり厚さを計測する。基板部６５，６５は、縦枠部材１５，１５において下枠部材１７に取り付けられる部分となる。
【００４４】
ここで、上述したように、縦枠部材１５，１５は基板部６５，６５において下地枠２１の一対の縦枠下地材２２，２２の間口方向両側の内面に接着剤より接着される。このため、下枠ベース３１において間口方向の両端部から、それぞれ、基板部６５の間口方向の寸法と接着剤の塗りしろ分の寸法とを合わせた距離だけ離れた位置までの範囲が、後に一対の縦枠部材１５，１５が取り付けられる一対の取付座部６３，６３となる、図５（ａ）に示す取付座部形成範囲６３ａ，６３ａとなっている。これらの取付座部形成範囲６３ａ，６３ａのそれぞれの間口方向の中央に、奥行方向に所定の間隔をあけて複数、具体的には三カ所のビス穴７１，７１，…を穿設するビス穴穿設工程を行う。なお、ビス穴穿設工程は行わなくても良い。
【００４５】
また、下枠ベース３１の間口方向の寸法から両側の取付座部形成範囲６３ａ，６３ａの間口方向の寸法を減算した値を算出する。これがカバー３２の間口方向の寸法となる。また、下枠ベース３１の奥行方向の寸法からサッシ下枠３５の鍔板部４３の奥行方向の寸法を減算し、これにカバー３２の下枠ベース３１からの脱衣室Ｒ１側への突出量分の寸法を加算した値を算出する。これがカバー３２の奥行方向の寸法となる。
【００４６】
図４に示す工場出荷状態のカバー３２を、上記のように算出した間口寸法となるように切断し間口方向の寸法を調整するカバー間口寸法調整工程（カバー寸法調整工程）を行う。また、上記のように算出した奥行寸法となるように、カバー３２の端板部５６とは反対側の部分を切断し奥行方向の寸法を調整するカバー奥行寸法調整工程を行う。
【００４７】
そして、上記した下枠ベース間口寸法調整工程と下枠ベース奥行寸法調整工程とを行った図５（ａ）に示す下枠ベース３１と、上記したカバー間口寸法調整工程とカバー奥行寸法調整工程とを行った図５（ａ）に示すカバー３２とを、図５（ｂ）に示すように接合する。その際に、下枠ベース３１とカバー３２とを防水性の接着剤によって接着する。接着の際に、下枠ベース３１の間口方向の中央部にカバー３２を取り付けてカバー３２により上述した通路部６４を形成するとともに通路部６４の間口方向の両側に通路部６４よりも高さが低い下枠ベース３１からなる一対の取付座部６３，６３を形成する。また、その際に、奥行方向においてカバー３２の端板部５６側が下枠ベース３１よりも所定量突出するようにカバー３２を下枠ベース３１に取り付けて、通路部６４の奥行方向の端板部５６とは反対側に通路部６４よりも高さが低い下枠ベース３１からなる鍔配置部７３を形成する。一対の取付座部６３，６３および鍔配置部７３は、いずれも下枠ベース３１からなるため、それぞれの上面が同一平面となる。
【００４８】
以上の下枠ベース３１とカバー３２とを接合する工程が、カバー３２により通路部６４を形成するとともにその間口方向の両側に下枠ベース３１からなる一対の取付座部６３，６３を形成し、さらに、カバー３２の奥行方向の一側に下枠ベース３１からなる鍔配置部７３を形成する形成工程となっている。上記したビス穴穿設工程は、この形成工程の後に行っても良い。
【００４９】
次に、一対の取付座部６３，６３の上面に、奥行方向の全範囲に連続するように図６（ａ）に示す防水テープ７５，７５（防水材）を貼着する。防水テープ７５，７５は厚さ方向片側に防水性の接着層が形成されたものとなっており、この接着層において一対の取付座部６３，６３の上面に貼着される。なお、防水テープ７５，７５は、下枠部材１７の一対の取付座部６３，６３と一対の縦枠部材１５，１５との間の防水性を高めるものであれば良く、ＥＰＤＭなどの発砲ゴム系、ポリウレタン樹脂など発泡系などそれ自体が押し潰されることで防水性能を発揮するものを用いることができる。また、防水テープ７５，７５にかえて、防水材としてシーリング剤や接着剤などを用いても良い。
【００５０】
次に、下枠部材１７に対して間口方向および奥行方向の位置を対応させながら図６（ｂ）に示す縦枠部材１５，１５を防水テープ７５，７５の上面に載置させる。そして、ビス７７，７７，…をビス穴７１，７１，…に通して縦枠部材１５，１５にねじ込む。これにより、図６（ｂ）から図６（ｃ）に示すように一対の縦枠部材１５，１５が下枠部材１７の一対の取付座部６３，６３に取り付けられる。
【００５１】
以上に述べた、一対の取付座部６３，６３に防水テープ７５，７５を貼着し、防水テープ７５，７５に接着しつつ一対の取付座部６３，６３に一対の縦枠部材１５，１５をビス止めする工程が、一対の取付座部６３，６３に一対の縦枠部材１５，１５を取り付ける取付工程となっている。この取付工程において、一対の取付座部６３，６３と一対の縦枠部材１５，１５との間に一対の防水テープ７５，７５が介装される。
【００５２】
そして、一対の縦枠部材１５，１５の上端部同士の間に図２に示す上枠部材１６を配置して、これらをビス止めして固定する。これにより、縦枠部材１５，１５、上枠部材１６および下枠部材１７が枠状に連結されてドア額縁１１が形成される。ここで、一対の縦枠部材１５，１５の上端部に予め上枠部材１６を固定しておき、この状態で一対の縦枠部材１５，１５の下端部に下枠部材１７を取り付けても良い。
【００５３】
以上のように枠状に形成されたドア額縁１１が、下地枠２１に脱衣室Ｒ１側から挿入されて接着剤で固定される。その際に、下枠部材１７は、図３に示すように、下枠ベース３１の奥行方向奥側となる鍔配置部７３がサッシ下枠３５の鍔板部４３の下側に入り込み、鍔板部４３と奥行方向にラップする。また、下枠部材１７は、カバー３２が鍔板部４３に当接する。なお、ドア額縁１１は、サッシ下枠３５の鍔板部４３に対してビス止めされて固定される。
【００５４】
図６に示すように、ドア額縁１１は、その下部構造が、一対の縦枠部材１５，１５と、一対の縦枠部材１５，１５が取り付けられる一対の取付座部６３，６３および一対の取付座部６３，６３の間にあって一対の取付座部６３，６３よりも高さが高い通路部６４を有する下枠部材１７と、を備えている。そして、下枠部材１７は、一対の取付座部６３，６３および通路部６４を含む全体が防水性樹脂材料で形成されている。また、一対の取付座部６３，６３と一対の縦枠部材１５，１５との間に防水テープ７５，７５が介装されている。
【００５５】
以上に述べた第１実施形態によれば、下枠部材１７は、一対の縦枠部材１５，１５が取り付けられる一対の取付座部６３，６３と、一対の取付座部６３，６３の間にあって一対の取付座部６３，６３よりも高さが高い通路部６４とが防水性樹脂材料で形成されている。よって、通路部６４を通過して下枠下地材２４、根太２８，２８，…、土台２７等へ水が到達することを抑制することができ、一対の取付座部６３，６３を通過して下枠下地材２４、根太２８，２８，…、土台２７等へ水が到達することをも抑制することができる。したがって、防水性を高めることができる。
【００５６】
また、通路部６４を形成するカバー３２が下枠ベース３１とは別体とされているため、一対の縦枠部材１５，１５の距離に応じて調整が必要となる通路部６４の間口方向および奥行方向の寸法を容易に調整することができる。
【００５７】
また、下枠部材１７の取付座部６３，６３と縦枠部材１５，１５との間の防水性を図６に示す防水テープ７５，７５によって高めることができる。よって、これらの隙間を介して水が下枠部材１７の間口方向外側に回り込むことを防止できる。このため、これらの隙間を介して水が一対の縦枠下地材２２，２２、下枠下地材２４、根太２８，２８，…、土台２７等へ到達することを抑制することができる。したがって、防水性を一層高めることができる。
【００５８】
また、カバー間口寸法調整工程にてカバー３２の間口方向の寸法を調整するとともに、カバー奥行寸法調整工程にてカバー３２の奥行方向の寸法を調整する。そして、形成工程にて下枠ベース３１の間口方向の中間部にカバー３２を取り付けてカバー３２により通路部６４を形成するとともに通路部６４の間口方向の両側に通路部６４よりも高さが低い下枠ベース３１からなる一対の取付座部６３，６３を形成し、さらに通路部６４の奥行方向一側に通路部６４よりも高さが低い下枠ベース３１からなる鍔配置部７３を形成する。そして、取付工程にて下枠ベース３１の間口方向両側の一対の取付座部６３，６３に一対の縦枠部材１５，１５を取り付ける。通路部６４を形成するカバー３２が下枠ベース３１に取り付けられることから、取り付け前に通路部６４の間口方向の寸法および奥行方向の寸法を容易に調整することができる。したがって、一対の縦枠部材１５，１５の距離に応じて調整が必要となる通路部６４の間口方向の寸法を容易に調整することができる。また、鍔板部４３の位置および奥行方向長さ等に応じて調整が必要となる通路部６４の奥行方向の寸法も容易に調整することができる。なお、先に取付工程にて下枠ベース３１の間口方向両側の一対の取付座部６３，６３に防水テープ７５，７５を挟んで一対の縦枠部材１５，１５を取り付けてから、カバー３２を、形成工程にて下枠ベース３１の間口方向の中間部に取り付けて通路部６４を形成して良い。
【００５９】
また、取付工程にて、取付座部６３，６３と縦枠部材１５，１５との間に防水テープ７５，７５を介装しているため、取付座部６３，６３と、縦枠部材１５，１５との間の防水性を防水テープ７５，７５によって高めることができる。したがって、防水性を一層高めることができる。
【００６０】
第１実施形態では、下枠部材１７の全体が防水性樹脂材料で形成される場合を例にとり説明したが、少なくとも一対の取付座部６３，６３および通路部６４が防水性樹脂材料で形成されていれば良い。つまり、例えば、カバー３２の全体を防水性樹脂材料で形成するとともに、下枠ベース３１の一対の取付座部６３，６３を含む上部を防水性樹脂材料で形成し、下枠ベース３１の下部を木製の合板で形成する等の変更が可能である。
【００６１】
本発明の第２実施形態に係るドア額縁の下部構造および施工方法について、主に図７および図８を参照して第１実施形態との相違部分を中心に説明する。
【００６２】
第２実施形態では、下枠部材１７Ａが一つの部品からなっている。図８に示すように、下枠部材１７Ａは、第１実施形態よりも厚さが厚い主体部５１と主体部５１の表面側を覆う第１実施形態と同様の被覆部５２とからなる防水部６１と、主体部５１の裏面側に接合される木製の合板からなる下枠ベース３１Ａと、を有している。下枠部材１７Ａは、被覆部５２側がドア額縁１１の下部の出入口１０側の端部となる通路部６４を形成する。つまり、下枠部材１７Ａには予め通路部６４が形成されている。
【００６３】
第２実施形態では、後に一対の取付座部６３，６３となる取付座部形成範囲６３ａ，６３ａを割り出し、図７（ａ）から図７（ｂ）に示すように、これら取付座部形成範囲６３ａ，６３ａを高さ方向の防水部６１の範囲内で切削して通路部６４よりも高さが低い防水性樹脂材料からなる一対の取付座部６３，６３を形成するとともに、防水部６１の範囲内での切削により鍔配置部７３を形成する。
【００６４】
以上に述べた第２実施形態によれば、下枠部材１７Ａの一対の取付座部６３，６３および通路部６４が防水性樹脂材料で一体成形されているため、部品点数を削減することができ、製品コストおよび管理コストを低減することができる。第２実施形態では、下枠ベース３１Ａが木製の合板からなる場合を例にとり説明したが、下枠部材１７Ａの全体を防水性樹脂材料で形成しても良い。
【符号の説明】
【００６５】
１０  出入口
１１  ドア額縁
１２  ドア本体
１５  縦枠部材
１７，１７Ａ  下枠部材
３１  下枠ベース
３２  カバー
６１  防水部
６３  取付座部
６４  通路部
７５  防水テープ（防水材）
【図１】
2016029243.tif 000003
【図２】
2016029243.tif 000004
【図３】
2016029243.tif 000005
【図４】
2016029243.tif 000006
【図５】
2016029243.tif 000007
【図６】
2016029243.tif 000008
【図７】
2016029243.tif 000009
【図８】
2016029243.tif 000010